(57)【要約】      （修正有）【課題】ＥＭＳ（エネルギーマネジメントシステム）から独立して必要最小限の資源を利用してエネルギー需要供給シミュレーションを実施できるエネルギー需要供給シミュレーション装置を提供する。【解決手段】エネルギー需要供給シミュレーション装置１００は、設備ＤＢ１２０、予測ＤＢ１２１、供給計画ＤＢ１２２、件名ＤＢ１２３、設備編集部１１０、予測処理部１１１，予測データ編集部１１２、供給計画部１１３、シミュレーションデータ保存部１１４、シミュレーションデータ読込部１１５、データ転送部１１６を備える。予測処理部１１１は、設備データ１２０Ｄと予測データ１２１Ｄに含まれた天候予測データを基に、エネルギー供給設備のエネルギー供給量予測を自動修正し、シミュレーションに使用したデータセットを外部のＥＭＳに転送する。【選択図】図１
2015148863.tif 000002
【特許請求の範囲】
【請求項１】
外部のエネルギーマネジメントシステムが管理対象とする施設が有するエネルギー消費設備とエネルギー供給設備との将来の電力の需要と供給をシミュレートするエネルギー需要供給シミュレーション装置において、
前記エネルギー消費設備と前記エネルギー供給設備の定格データを有する設備データを編集する設備編集部と、
前記設備データを保存する設備データベースと、
将来の一定の期間における前記エネルギー消費設備によるエネルギー消費量予測データ及び将来の前記一定の期間における前記エネルギー供給設備によるエネルギー供給量予測データ及び将来の前記一定の期間における天候予測データを有する予測データを編集する予測データ編集部と、
前記予測データを保存する予測データベースと、
前記設備データと前記予測データから前記設備データに属する前記エネルギー供給設備の前記エネルギー供給量予測データを自動修正する予測処理部と、
前記設備データと前記予測データとを用いて将来の前記一定の期間におけるエネルギー供給計画データを算出する供給計画部と、
前記エネルギー供給計画データを保存する供給計画データベースと、
前記エネルギー供給計画データと前記エネルギー供給計画データの算出に使用した前記設備データと前記予測データからなるシミュレーションデータを紐づけて件名データとして件名データベースに保存するシミュレーションデータ保存部と、
前記シミュレーションデータを読み込む、シミュレーションデータ読込部と、
前記シミュレーションデータの前記エネルギー供給計画データと前記設備データと前記予測データとを外部の前記エネルギーマネジメントシステムにそれぞれ転送するデータ転送部とを備えたエネルギー需要供給シミュレーション装置。
【請求項２】
前記予測処理部は、外部の前記エネルギーマネジメントシステムから、過去の前記一定の期間における前記エネルギー消費設備によるエネルギー消費実績データと前記エネルギー供給設備によるエネルギー供給実績データである計測データを取得して前記予測データとして利用する請求項１に記載のエネルギー需要供給シミュレーション装置。
【請求項３】
前記設備編集部は、外部の前記エネルギーマネジメントシステムから、前記エネルギーマネジメントシステムが管理対象とする施設が有するエネルギー消費設備とエネルギー供給設備の定格データを有する設備データを取得する請求項１又は請求項２に記載のエネルギー需要供給シミュレーション装置。
【請求項４】
前記データ転送部は、前記シミュレーションデータを転送する時期を予め設定するスケジューラを備える請求項１から請求項３のいずれか１項に記載のエネルギー需要供給シミュレーション装置。
【請求項５】
前記予測処理部は、外部の前記エネルギーマネジメントシステムに転送された、過去の前記一定の期間における前記予測データと、過去の前記一定の期間における前記エネルギーマネジメントシステムによる前記計測データとを前記エネルギーマネジメントシステムから取得して併せて画面に表示する請求項２に記載のエネルギー需要供給シミュレーション装置。
【発明の詳細な説明】
【技術分野】
【０００１】
この発明は、エネルギー需要供給シミュレーション装置に関するものである。
【背景技術】
【０００２】
エネルギー需要供給シミュレーション装置のシステム管理者は、エネルギー需要供給シミュレーション装置から取得した設備データ、計測データ、気象観測データを使用して、人間行動を考慮した需要予測を行い、最適化された電力供給計画のシミュレーションを行う。また、シミュレーションに使用した諸データやシミュレーション結果をエネルギーマネジメントシステム（以下、ＥＭＳという）側に転送し、実際の電力供給に活用する。近年、エネルギー供給元の多様化技術が普及している。太陽光発電、風力発電、小型水力発電、コジェネレーション、ボイラ、蓄電池などの設備を有する建物及び工場のエネルギー供給システムにおいて、実際の計測データや利用者の入力データに基づいて、運転コストを最小化し、或いはＣＯ２排出量を最小化する最適運転計画を算出するサービスシステムが開発されている（例えば、特許文献１）。
【先行技術文献】
【特許文献】
【０００３】
【特許文献１】特開２００２−２３００９９号公報
【発明の概要】
【発明が解決しようとする課題】
【０００４】
従来のサービスシステムを利用するには、設備データや需要予測データなどのデータを利用者が手入力する必要がある。算出された最適運転計画は省エネルギーの観点の妥当性評価や設備改修計画の立案に使用されている。ところで、シミュレーションをサービスシステムとして構築する場合、入力データがＥＭＳと重複設定されたり、シミュレーションデータをＥＭＳで直接活用できないという問題点があった。
【０００５】
この発明は上記のような課題を解決するためになされたものであり、能動的にＥＭＳと連携することにより、エネルギー需要供給シミュレーション時に必要なデータを自ら構築し、当該シミュレーションの結果得られたエネルギー最適供給計画データを、ＥＭＳ側で最大限に活用できるエネルギー需要供給シミュレーション装置を提供することを目的とする。
【課題を解決するための手段】
【０００６】
この発明に係るエネルギー需要供給シミュレーション装置は、
外部のエネルギーマネジメントシステムが管理対象とする施設が有するエネルギー消費設備とエネルギー供給設備との将来の電力の需要と供給をシミュレートするエネルギー需要供給シミュレーション装置において、
前記エネルギー消費設備と前記エネルギー供給設備の定格データを有する設備データを編集する設備編集部と、
前記設備データを保存する設備データベースと、
将来の一定の期間における前記エネルギー消費設備によるエネルギー消費量予測データ及び将来の前記一定の期間における前記エネルギー供給設備によるエネルギー供給量予測データ及び将来の前記一定の期間における天候予測データを有する予測データを編集する予測データ編集部と、
前記予測データを保存する予測データベースと、
前記設備データと前記予測データから前記設備データに属する前記エネルギー供給設備の前記エネルギー供給量予測データを自動修正する予測処理部と、
前記設備データと前記予測データとを用いて将来の前記一定の期間におけるエネルギー供給計画データを算出する供給計画部と、
前記エネルギー供給計画データを保存する供給計画データベースと、
前記エネルギー供給計画データと前記エネルギー供給計画データの算出に使用した前記設備データと前記予測データからなるシミュレーションデータを紐づけて件名データとして件名データベースに保存するシミュレーションデータ保存部と、
前記シミュレーションデータを読み込む、シミュレーションデータ読込部と、
前記シミュレーションデータの前記エネルギー供給計画データと前記設備データと前記予測データとを外部の前記エネルギーマネジメントシステムにそれぞれ転送するデータ転送部とを備えたものである。
【発明の効果】
【０００７】
この発明に係るエネルギー需要供給シミュレーション装置は、上記のような構成を有するので、エネルギーマネジメントシステムから独立して必要最小限の資源を利用してエネルギー需要供給シミュレーションを実施できる。また、当該シミュレーションに使用した各設備データ、予測データ及びシミュレーションにより得られた供給計画データをエネルギーマネジメントシステムに転送し有効に活用することができる。
【図面の簡単な説明】
【０００８】
【図１】本発明の実施の形態１に係るエネルギー需要供給シミュレーション装置のシステム構成模式図である。
【図２】本発明の実施の形態１で使用する各データの構成を示す図である。
【図３】本発明の実施の形態１に係るエネルギー需要供給シミュレーション装置における処理のフローチャートである。
【図４】本発明の実施の形態２に係るエネルギー需要供給シミュレーション装置のシステム構成模式図である。
【図５】本発明の実施の形態２に係るエネルギー需要供給シミュレーション装置における処理のフローチャートである。
【図６】本発明の実施の形態３に係るエネルギー需要供給シミュレーション装置のシステム構成模式図である。
【図７】本発明の実施の形態３に係るエネルギー需要供給シミュレーション装置における処理のフローチャートである。
【図８】本発明の実施の形態４に係るエネルギー需要供給シミュレーション装置のシステム構成模式図である。
【図９】本発明の実施の形態４に係るエネルギー需要供給シミュレーション装置における処理のフローチャートである。
【図１０】本発明の実施の形態５に係るエネルギー需要供給シミュレーション装置のシステム構成模式図である。
【図１１】本発明の実施の形態５に係るエネルギー需要供給シミュレーション装置における処理のフローチャートである。
【発明を実施するための形態】
【０００９】
実施の形態１．
以下、本発明の実施の形態１を図を用いて説明する。建物や工場（管理対象施設）にＥＭＳを導入する場合、ＥＭＳ導入後の状態を仮定してエネルギー需要供給シミュレーションを行い、ＥＭＳ導入効果を事前に確認することができる。一方、ＥＭＳを運転させるには、設備データの登録や初期予測データの登録が必要となる。
【００１０】
これらの作業効率を上げるために、事前検討時において、まずエネルギー需要供給シミュレーション装置にて必要最小限のデータの設定を繰り返し行い、その結果を導入後のＥＭＳに転送することで、作成したデータを最大限に活用することが重要である。
【００１１】
図１は、本発明の実施の形態１に係るエネルギー需要供給シミュレーション装置１００（以下、単に装置１００という）のシステム構成模式図である。装置１００は、単独装置として利用者に提供することができる。
【００１２】
設備編集部１１０は、エネルギー需要供給シミュレーション（以下、単にシミュレーションという）の管理対象となる建物や工場内に設置される全てのエネルギー供給設備、エネルギー消費設備のデータ（定格データ等）を定義し、本装置が利用する設備ＤＢ１２０（以下、ＤＢとはデータベースの略称である）に設備データ１２０Ｄとして保存する。エネルギー供給設備とは、電力会社から供給されている商用電源や自家用化石燃料発電設備、太陽光発電設備、風力発電設備、蓄電池、ＥＶなどな設備をいう。また、エネルギー消費設備とは、照明設備、空調設備、エレベータなどの設備をいう。
【００１３】
各設備は、設備間の親子関係やグループ関係を定義することができる。設備編集部１１０は、利用者に対して設備ごとに編集可能なＧＵＩ（グラフィカル  ユーザ  インターフェース）を提供し、利用者は、設備の新規登録や、保存された設備の修正ができる。編集した設備データ１２０Ｄは、装置１００の設備ＤＢ１２０に保存される。また、設備編集部１１０は、決められたファイル形式の設備データを設備ＤＢ１２０に一括して読み込んだり、複数の設備データ１２０Ｄを一括修正するインタフェースも提供する。設備データ１２０Ｄは、具体的には図２（ａ）に示すような形式で保存される。
【００１４】
予測データ編集部１１２は、シミュレーションを実行するために必要なエネルギー需要予測データ等の諸データを設定する機能を提供する。利用者は、予測データ編集部１１２を使用して、一定期間中、例えば、今後１時間、１日間、１週間、１ヶ月間のエネルギー需要予測データや天候予測データを定義し、これらを装置１００が有する予測ＤＢ１２１に予測データ１２１Ｄとして保存する。
【００１５】
なお、エネルギー需要予測データとは、建物や工場における前述の一定期間中のエネルギーの消費状況を予測し、数値化したデータである。また、天候予測データとは、天気予報のことで、天候、気温、日射量、風力などのデータが含まれる。
【００１６】
予測データ編集部１１２は、利用者に指定された期間中の予測データの入力をＧＵＩで提供し、利用者は、グラフ形式また帳票形式にて予測データ１２１Ｄを作成することができる。また、予測データ編集部１１２は、決められたファイル形式の予測データ１２１Ｄを外部ファイルから一括入力するインタフェースも提供する。
【００１７】
利用者は、曜日データや、季節データ、人間行動などの要素を配慮した上で、直接入力又は、外部ファイルから一括入力された予測データ１２１Ｄを自由に編集することができる。予測データ１２１Ｄは、具体的には図２（ｂ）に示すような形式で保存される。
【００１８】
設備ＤＢ１２０の設備データ１２０Ｄに太陽光発電設備や風力発電設備等、再生可能な自然エネルギーを活用する電力供給設備が定義されている場合、予測処理部１１１は、予測ＤＢ１２１の予測データ１２１Ｄに定義された天気予測データを基に、これらの設備から供給可能なエネルギー量の予測も行い、予測データ１２１Ｄに自動的に編集を加えて保存する。利用者は、予測データ編集部１１２を用いて、各エネルギー供給設備のエネルギー供給予測データを修正することも可能である。
【００１９】
供給計画部１１３は、シミュレーション機能を提供する。利用者は、供給計画部１１３によりシミュレーションを行い、上述の設備データ１２０Ｄ、予測データ１２１Ｄを基に、設定日時、期間におけるエネルギーの供給計画データ１２２Ｄを算出する。供給計画部１１３は、コスト最小、ＣＯ２排出最小などの最適化ポリシーにてエネルギーの供給計画データ１２２Ｄを算出することができ、利用者にグラフ形式また帳票形式のインタフェースにて計算結果の表示機能を提供する。供給計画データ１２２Ｄは、具体的には図２（ｃ）に示すような形式である。また、供給計画部１１３は、指定された期間における、同様のポリシーにおける運転コスト、ＣＯ２排出量などのデータを集計することもできる。
【００２０】
シミュレーションデータ保存部１１４は、供給計画データ１２２Ｄを供給計画ＤＢ１２２に保存すると同時に、上述のシミュレーションに使用したシミュレーションデータのセット（設備データ１２０Ｄ、予測データ１２１Ｄとシミュレーション結果である供給計画データ１２２Ｄ）を紐付ける件名データ１２３Ｄを、件名ＤＢ１２３に保存する。
【００２１】
シミュレーションデータ読込部１１５は、一度シミュレーションに使用したシミュレーションデータのセットを設備ＤＢ１２０等のデータベースから読み込んで、各機能に引き渡す機能を提供する。利用者は、供給計画部１１３により再度シミュレーション結果を画面に表示したり、それぞれのデータを編集して、再度シミュレーションを実行することも可能である。
【００２２】
データ転送部１１６は、装置１００内の各ＤＢ１２０、１２１、１２２に保存されている各データをＥＭＳ１３０に転送する機能を提供する。利用者は、データ転送部１１６により設備ＤＢ１２０に保存されている設備データ１２０Ｄ、予測ＤＢ１２１に保存されている予測データ１２１Ｄ、供給計画ＤＢ１２２に保存されている供給計画データ１２２ＤをＥＭＳ１３０の設備ＤＢ１４０、予測ＤＢ１４１、供給計画ＤＢ１４２へ転送できる。
【００２３】
ＥＭＳ１３０のデータベースに直接接続できる場合は、転送対象データの選定や、転送先に同様なデータを検出したときの対応、例えば、破棄、上書等も指示することができる。なお、装置１００が、ＥＭＳ１３０の各データベースに接続できない場合や、装置１００の各データベース構造がＥＭＳ１３０の各データベース構造と異なる場合は、転送データを予め決められたファイル形式に変換して出力する。ＥＭＳ１３０は、変換、出力されたファイルを読み込むことで、設備データ１２０Ｄ、予測データ１２１Ｄ、供給計画データ１２２Ｄの転送を実現できる。
【００２４】
ＥＭＳ１３０の管理者は、装置１００から受信したデータを利用する日や時間帯を指定できる。指定された時間になったら、ＥＭＳ１３０は、シミュレーション結果を元に各電源設備の出力を調整し、システムを運転する。当然、シミュレーションの結果は実際の状況から外れることもありえるが、これは、従来の予測外れと同じ現象である。ＥＭＳ１３０は、フィードバック運転や、計画補正運転などの手法よりシステムの運転を維持、継続することが可能である。
【００２５】
次に、装置１００の動作について説明する。
図３は、装置１００における処理のフローチャートである。利用者は、画面操作により装置１００を利用する。データ読み込み（ステップＳ２０１）の選択により既存のシミュレーションデータセットを読み込んで利用するか、又は新規に各種のデータを設定してシミュレーションを実行するかを決定する。
【００２６】
新規シミュレーションを実行する場合、まず設備編集部１１０を使用して設備データ１２０Ｄを登録する。利用者は、手動入力により設備データ１２０Ｄの登録を行う（ステップＳ２０２）。複数の設備データ１２０Ｄが決められた形式のファイルとして作成されている場合は、設備ＤＢ１２０への設備データ１２０Ｄの一括登録も可能である。
【００２７】
全ての設備データ１２０Ｄを登録完了するまで、設備の登録操作を繰り返す（ステップＳ２０３）。設備データ１２０Ｄの重複が発生しない限り、一括登録と手動登録は、何度繰り返しても良い。
【００２８】
設備データ１２０Ｄの登録完了後、予測データ編集部１１２により、予測データ１２１Ｄの登録を行う（ステップＳ２０４）。予測データ編集部１１２により予測データ１２１Ｄの修正が必要か否かを判断する（ステップＳ２０５）。修正が必要ない場合は、ステップＳ２０８の予測処理に進む。修正が必要な場合は、グラフ形式また帳票形式より予測データ１２１Ｄの修正ができる（ステップＳ２０６）。予測データ１２１Ｄの修正完了（ステップＳ２０７）まで何度繰り返しても良い。予測データ１２１Ｄの設定を終了すると予測処理部１１１は、自動的に、気象データ等に基づき電力供給設備の発電量を計算して予測データ１２１Ｄに反映させる（ステップＳ２０８）。
【００２９】
設備データ１２０Ｄと予測データ１２１Ｄの登録が完了した後、供給計画部１１３よりシミュレーション機能を起動し（ステップＳ２０９）、供給計画データ１２２Ｄの算出を行う（ステップＳ２１０）。シミュレーション結果を保存するか否かを判断する（ステップＳ２１１）。必要な場合は、シミュレーションに使用した設備データ１２０Ｄ、予測データ１２１Ｄ、供給計画データ１２２Ｄを紐づける件名データ１２３Ｄを指定された名称で件名ＤＢ１２３に登録する（ステップＳ２１２）。シミュレーションに使用した設備データ１２０Ｄ、予測データ１２１Ｄ、供給計画データ１２２Ｄの転送が指定された場合（ステップＳ２１３）は、ＥＭＳ１３０に対してデータ転送部１１６により転送する（ステップＳ２１４）。ステップＳ２１１で、保存の必要がないと判断した場合は、処理を終了する。
【００３０】
既存のシミュレーションデータを読込んで再度利用する場合（ステップＳ２０１  Ｙｅｓ）は、名称を指定し（ステップＳ２２０）、件名ＤＢ１２３から対応する設備データ１２０Ｄ、予測データ１２１Ｄ、供給計画データ１２２Ｄを読み込んで（ステップＳ２２１〜Ｓ２２３）シミュレーションを実行する（ステップＳ２０９）。その後、ＥＭＳ１３０へのデータ転送が必要な場合（ステップＳ２１３）は、シミュレーションに使用した設備データ１２０Ｄを、ＥＭＳ１３０の設備ＤＢ１４０に設備データ１４０Ｄとして転送し、同様に予測データ１２１Ｄを、予測ＤＢ１４１に予測データ１４１Ｄとして、供給計画データ１２２Ｄを、供給計画ＤＢ１４２に供給計画データ１４２Ｄとして転送する。なお、各データの転送は、個別のデータ単位でもよいし、ファイルとして一括送信しても良い。
【００３１】
このように、実施の形態１に係るエネルギー需要供給シミュレーション装置１００によれば、装置１００は、ＥＭＳ１３０から独立して必要最小限の資源を利用してエネルギー需要供給シミュレーションを実施できる。また、シミュレーションに使用した各設備データ１２０Ｄ、予測データ１２１Ｄ及びシミュレーションにより得られた供給計画データ１２２ＤをＥＭＳ１３０に転送し有効に活用することができる。
【００３２】
実施の形態２．
以下、本発明の実施の形態２を図を用いて実施の形態１と異なる部分を中心に説明する。
図４は、本発明の実施の形態２に係るエネルギー需要供給シミュレーション装置２００（以下、単に装置２００という）のシステム構成模式図である。
実施の形態１では、設備データ１２０Ｄ等、シミュレーションに使用する各データを装置１００側で用意し、エネルギー需要供給シミュレーションに使用した各データをＥＭＳ１３０に転送することとし、ＥＭＳ無しでも単独で装置１００を運用できる構成とした。
【００３３】
本実施の形態では、装置２００は、各設備が過去の特定の期間に実際に消費または供給した電力の実績である計測データ２４３Ｄを、ＥＭＳ２３０の計測ＤＢ２４３から、季節、人間行動などの変動要素を反映した条件により抽出して取得し、取得した計測データ２４３Ｄを実施の形態１における予測データ１２１Ｄとしてシミュレーションを行うことができる。これにより、エネルギーの需要と供給の予測精度を向上させることが可能となる。
【００３４】
図５は、実施の形態２に係る装置２００の処理のフローチャートである。実施の形態１と異なり、設備データ１２０Ｄの登録完了後（ステップＳ２０３）、予測処理部２１１は、ＥＭＳ２３０から計測データ２４３Ｄを条件設定により抽出して読み込み、これを予測データ１２１Ｄとして予測ＤＢ１２１に保存する（ステップＳ２０３１）。これ以外の処理は、実施の形態１と同様である。
【００３５】
本発明の実施の形態２に係るエネルギー需要供給シミュレーション装置２００によれば、ＥＭＳの計測データ２４３Ｄを使用してシミュレーションを行える為、データ作成の手間が減り、予測精度の向上を実現できる。
【００３６】
なお、予測処理部２１１は、ＥＭＳ２３０の計測ＤＢ２４３に直接接続可能な場合は、ＥＭＳ２３０から指定された日付や期間の計測データ２４３Ｄを採取して予測データ１２１Ｄとして作成することができる。ＥＭＳ２３０の計測ＤＢ２４３へ直接接続できない場合や、装置２００のデータベース構造がＥＭＳ２３０のデータベース構造と異なる場合は、ＥＭＳ２３０から装置２００が認識可能なファイル形式に変換して出力し、装置２００は、そのデータを読込めば良い。既存のＥＭＳ２３０から予測データ１２１Ｄとしての計測データ２４３Ｄを採取することでより簡単に、精度の高い予測データ１２１Ｄを作成することができる。
【００３７】
実施の形態３．
以下、本発明の実施の形態３を図を用いて実施の形態２と異なる部分を中心に説明する。
図６は、本発明の実施の形態３に係るエネルギー需要供給シミュレーション装置３００（以下、単に装置３００という）のシステム構成模式図である。
本実施の形態では、装置３００がＥＭＳ３３０からシミュレーション用の設備データ１４０Ｄを取得し、現状に対してエネルギー需要・供給設備を変動させてシミュレーションを行うことができる。エネルギー供給設備、消費設備の新規導入やリプレース時の検討材料として使用することが可能となり、設備変更後、シミュレーション時に想定した設備データ１２０Ｄを再度ＥＭＳ３３０に転送してＥＭＳ３３０で使用することが可能となる。
【００３８】
図７は、実施の形態３に係る装置３００の処理のフローチャートである。実施の形態２の処理に加えて、設備編集部３１０は、ＥＭＳ３３０から設備データ１４０Ｄを受け取り、装置３００内の設備ＤＢ１２０に設備データ１２０Ｄとして登録した後（ステップＳ３０２）、設備データの編集や新規追加を行い、設備データ１２０Ｄを更新する（ステップＳ２０３）。これ以外の処理は、実施の形態２と同様である。
【００３９】
本発明の実施の形態３に係るエネルギー需要供給シミュレーション装置３００によれば、装置３００は、エネルギー需要・供給設備の改造工事を事前検証することができ、改造工事後、検討仕様をそのままＥＭＳ３３０側にて再利用することができる。
【００４０】
実施の形態４．
以下、本発明の実施の形態４を図を用いて実施の形態１と異なる部分を中心に説明する。
図８は、本発明の実施の形態４に係るエネルギー需要供給シミュレーション装置４００（以下、単に装置４００という）のシステム構成模式図である。
本実施の形態では、装置４００は、シミュレーションに使用した保存されている設備データ１２０Ｄ、予測データ１２１Ｄ、供給計画データ１２２Ｄを、指定された時刻にＥＭＳ側に転送するようにデータ転送部１１６を制御するスケジューラ５を備える。実施の形態１に比べて、シミュレーション関連データのＥＭＳ４３０への自動転送が可能となり、装置４００のシミュレーション結果を任意の時刻にＥＭＳ４３０へ転送できる。転送されたシミュレーション関連データは、ＥＭＳ４３０のデータ受信部によって受信される。
【００４１】
図９は、本実施の形態に係る装置４００の処理のフローチャートである。
実施の形態１と同様の操作によりシミュレーション関連データを保存した後（ステップＳ２１１）、転送用のスケジューラ５の設定を行い、タイムアップまで監視する（ステップＳ２１２１）。スケジューラ５がタイムアップ（ステップＳ２１２２）したら各種データの転送をデータ転送部１１６に指示する（ステップＳ２１４）。
【００４２】
本発明の実施の形態４に係るエネルギー需要供給シミュレーション装置４００によれば、装置４００に保存されているシミュレーション関連データをタイミングを指定してＥＭＳ４３０に転送することができるので、ＥＭＳ４３０の負荷を調整できる。
【００４３】
実施の形態５．
以下、本発明の実施の形態５を図を用いて実施の形態２と異なる部分を中心に説明する。
図１０は、本発明の実施の形態５に係るエネルギー需要供給シミュレーション装置５００（以下、単に装置５００という）のシステム構成模式図である。
本実施の形態では、装置５００が、ＥＭＳ５３０による計測データ２４３Ｄを取得して保存する実績ＤＢ５２４を備える。そして、実績ＤＢ５２４の実績データ５２４Ｄと、その元となった予測データ１４１Ｄを同時に画面に併せて表示させることで、過去の予測について実際の運用で誤差が生じた箇所を確認することができる。このデータを活用することにより予測精度を向上することが可能となる。実施の形態２より更なる高精度の予測が可能となる実施例である。
【００４４】
図１１は、実施の形態５に係る装置５００の処理のフローチャートである。実施の形態２と異なる部分は、予測処理部５１１が、ＥＭＳ５３０から計測データ２４３Ｄを実績データ５２４Ｄとして読み込んで実績ＤＢ５２４に保存し、その実績データ５２４Ｄに対応する過去の予測データ１４１Ｄを更に読み込んで、これらを併せて画面表示（ステップＳ５０３１）し、利用者は、次の予測データの登録の参考にできる点である。
【００４５】
本発明の実施の形態５に係るエネルギー需要供給シミュレーション装置５００によれば、装置５００は、過去の予測データ１４１Ｄとそれに対応する実績データである計測データ２４３ＤをＥＭＳ５３０より取得し、これらを同時に画面に表示してユーザに提供することで、ユーザに対して編集し易い環境を提供し、以後の予測精度の向上を実現できる。
【００４６】
尚、本発明は、その発明の範囲内において、各実施の形態を自由に組み合わせたり、各実施の形態を適宜、変形、省略することが可能である。
【符号の説明】
【００４７】
１００，２００，３００，４００，５００  エネルギー需要供給シミュレーション装置、
１１０，３１０  設備編集部、１１１，２１１，５１１  予測処理部、
１１２  予測データ編集部、１１３  供給計画部、
１１４  シミュレーションデータ保存部、１１５  シミュレーションデータ読込部、
１１６  データ転送部、１２０，１４０Ｄ  設備データ、
１２１Ｄ，１４１Ｄ  予測データ、１２２Ｄ，１４２Ｄ  供給計画データ、
１２３Ｄ  件名データ、２４３Ｄ  計測データ、５２４Ｄ  実績データ、
１２０，１４０  設備ＤＢ、１２１，１４１  予測ＤＢ、
１２２，１４２  供給計画ＤＢ、１２３  件名ＤＢ、２４３  計測ＤＢ、
５２４  実績ＤＢ、１３０，２３０，３３０，４３０，５３０  ＥＭＳ。
【図１】
2015148863.tif 000003
【図２】
2015148863.tif 000004
【図３】
2015148863.tif 000005
【図４】
2015148863.tif 000006
【図５】
2015148863.tif 000007
【図６】
2015148863.tif 000008
【図７】
2015148863.tif 000009
【図８】
2015148863.tif 000010
【図９】
2015148863.tif 000011
【図１０】
2015148863.tif 000012
【図１１】
2015148863.tif 000013